(57)【要約】【課題】  オイルフェンスによって囲まれた閉塞領域を、所望の形状及び寸法に自在に最適化し、細部の調整も容易に行う。【解決手段】  オイル拡散防止システム１は、陸上で用いられる遠隔操作装置２と、それぞれ、推進装置６ａ，６ｂ，…が内蔵され、自走可能な比較的長いオイルフェンス３ａ，３ｂ，…と、比較的短いオイルフェンス４ａ，４ｂとを備えてなり、長さ方向に沿って互いに連結されたオイルフェンス３ａ，３ｂ，…、オイルフェンス４ａ，４ｂが、桟橋Ｓを囲むように閉曲線状に配置されることによって、桟橋Ｓに停泊した燃料輸送船等の船舶からオイルが海上に流出した場合のオイルの拡散を防止する。【選択図】  図１
2010163820.tif 000002
【特許請求の範囲】
【請求項１】
船舶から水上流出物が流出した場合の前記水上流出物の拡散を防止するために用いられる水上流出物拡散防止システムであって、
水上に浮いた状態で配置される拡散防止フェンスと、前記拡散防止フェンスの長さ方向に沿って配置され、前記拡散防止フェンスを推進するための複数の推進装置と、前記推進装置を操作制御信号を送出して遠隔操作する遠隔操作装置とを備えてなり、前記遠隔操作装置から送出された前記操作制御信号を受けた前記複数の推進装置によって、前記拡散防止フェンスが変位し、前記船舶を囲むように配置されることによって、前記船舶から前記水上流出物が流出した場合に、前記水上流出物の拡散を防止することを特徴とする水上流出物拡散防止システム。
【請求項２】
前記拡散防止フェンスは、複数の単位フェンスが長さ方向に沿って互いに連結し、全体として可撓性を有するように構成され、前記推進装置は、前記複数の単位フェンスのうち、所定の前記単位フェンスに、内蔵されるか、又は取り付けられていることを特徴とする請求項１に記載の水上流出物拡散防止システム。
【請求項３】
前記推進装置は、スクリュー及び舵を有し、前記遠隔操作装置は、前記推進装置の前記スクリュー及び前記舵を前記推進装置別に操作するための操作手段を有することを特徴とする請求項１又は２に記載の水上流出物拡散防止システム。
【請求項４】
船舶から水上流出物が流出した場合の前記水上流出物の拡散を防止するために用いられる水上流出物拡散防止方法であって、
水上に浮いた状態で拡散防止フェンスを配置し、前記拡散防止フェンスの長さ方向に沿って、前記拡散防止フェンスを推進するための複数の推進装置を配置し、前記推進装置を操作制御信号を送出して遠隔操作する遠隔操作装置を用いて、前記遠隔操作装置から前記操作制御信号を前記複数の推進装置へ送出して、前記拡散防止フェンスを変位させ、前記船舶を囲むように配置することによって、前記船舶から前記水上流出物が流出した場合に、前記水上流出物の拡散を防止することを特徴とする水上流出物拡散防止方法。
【発明の詳細な説明】
【技術分野】
【０００１】
この発明は、油等の流出物の水上での拡散を、例えば、オイルフェンスを展張して防止する水上流出物拡散防止システム及び水上流出物拡散防止方法に関する。
【背景技術】
【０００２】
従来より、例えば、火力発電所において、燃料輸送船によって、海送されてきた燃料を受け入れる場合に、油流出時に、油の拡散を防止するためのオイルフェンスを桟橋を囲むように展張する。この場合、小型船舶を用いて、オイルフェンスを曳航して、燃料輸送船の着桟時や離桟時に、オイルフェンスを、桟橋を囲むように展張している。火力発電所で、曳航可能な小型船舶を所有していない場合には、近隣の漁業協同組合等から小型船舶をチャーターする必要がある。
【０００３】
しかしながら、小型船舶をチャーターする場合には、費用が嵩む。また、例えば、強風や波浪等の悪天候下では、作業に危険が伴うため、小型船舶によってオイルフェンスを曳航して展張することができない。このため、ロボット船を遠隔操作して、オイルフェンスを曳航して展張する技術が提案されている（例えば、特許文献１参照。）。
【先行技術文献】
【特許文献】
【０００４】
【特許文献１】特開平１１−１０７２６０号公報
【発明の概要】
【発明が解決しようとする課題】
【０００５】
しかしながら、上記従来技術では、オイルフェンスによって囲まれた閉塞領域は、略固定された形状の領域となってしまい、細部の調整もできない。
【０００６】
この発明は、前記の課題を解決し、オイルフェンスによって囲まれた閉塞領域を、所望の形状及び寸法に自在に最適化することができ、かつ、細部の調整を容易に行うことができる水上流出物拡散防止システム及び水上流出物拡散防止方法を提供することを目的としている。
【課題を解決するための手段】
【０００７】
前記の課題を解決するために、請求項１の発明は、船舶から水上流出物が流出した場合の前記水上流出物の拡散を防止するために用いられる水上流出物拡散防止システムであって、水上に浮いた状態で配置される拡散防止フェンスと、前記拡散防止フェンスの長さ方向に沿って配置され、前記拡散防止フェンスを推進するための複数の推進装置と、前記推進装置を操作制御信号を送出して遠隔操作する遠隔操作装置とを備えてなり、前記遠隔操作装置から送出された前記操作制御信号を受けた前記複数の推進装置によって、前記拡散防止フェンスが変位し、前記船舶を囲むように配置されることによって、前記船舶から前記水上流出物が流出した場合に、前記水上流出物の拡散を防止することを特徴としている。
【０００８】
請求項１の発明では、遠隔操作装置から送出された操作制御信号を受けた複数の推進装置によって、拡散防止フェンスが変位し、船舶を囲むように配置されることによって、船舶から水上に水上流出物が流出した場合に、水上流出物の拡散を防止する。
【０００９】
請求項２の発明は、請求項１に記載の水上流出物拡散防止システムであって、前記拡散防止フェンスは、複数の単位フェンスが長さ方向に沿って互いに連結し、全体として可撓性を有するように構成され、前記推進装置は、前記複数の単位フェンスのうち、所定の前記単位フェンスに、内蔵されるか、又は取り付けられていることを特徴としている。
【００１０】
請求項３の発明は、請求項１又は２に記載の水上流出物拡散防止システムであって、前記推進装置は、スクリュー及び舵を有し、前記遠隔操作装置は、前記推進装置の前記スクリュー及び前記舵を前記推進装置別に操作するための操作手段を有することを特徴としている。
【００１１】
請求項４の発明は、船舶から水上流出物が流出した場合の前記水上流出物の拡散を防止するために用いられる水上流出物拡散防止方法であって、水上に浮いた状態で拡散防止フェンスを配置し、前記拡散防止フェンスの長さ方向に沿って、前記拡散防止フェンスを推進するための複数の推進装置を配置し、前記推進装置を操作制御信号を送出して遠隔操作する遠隔操作装置を用いて、前記遠隔操作装置から前記操作制御信号を前記複数の推進装置へ送出して、前記拡散防止フェンスを変位させ、前記船舶を囲むように配置することによって、前記船舶から前記水上流出物が流出した場合に、前記水上流出物の拡散を防止することを特徴としている。
【発明の効果】
【００１２】
請求項１の発明によれば、遠隔操作装置から送出された操作制御信号を受けた複数の推進装置によって、拡散防止フェンスが変位し、船舶を囲むように配置されるので、船舶から水上に水上流出物が流出した場合に、オイルフェンスによって囲まれた閉塞領域を、所望の形状及び寸法に自在に最適化することができ、かつ、細部の調整を容易に行うことができる。
【００１３】
請求項２の発明によれば、推進装置は、複数の単位フェンスのうち、所定の単位フェンスに、内蔵されるか、又は取り付けられているので、拡散防止フェンスを、船舶を囲む所望の形状に、簡単に、円滑に、かつ、迅速に、適切に配置することができる。また、拡散防止フェンスの配置形状や配置位置の調整も、天候等の展張時の状況の変化に応じて臨機応変に行うことができる。
【００１４】
請求項３の発明によれば、遠隔操作装置の操作手段を用いて、推進装置のスクリュー及び舵を推進装置別に操作することができるので、拡散防止フェンスを、船舶を囲む所望の形状に、簡単に、円滑に、かつ、迅速に、適切に配置することができる。また、拡散防止フェンスの配置形状や配置位置の調整も、天候等の展張時の状況の変化に応じて臨機応変に行うことができる。
【００１５】
請求項４の発明によれば、遠隔操作装置から送出された操作制御信号を受けた複数の推進装置によって、拡散防止フェンスが変位し、船舶を囲むように配置されるので、船舶から水上に水上流出物が流出した場合に、オイルフェンスによって囲まれた閉塞領域を、所望の形状及び寸法に自在に最適化することができ、かつ、細部の調整を容易に行うことができる。
【図面の簡単な説明】
【００１６】
【図１】この発明の実施の形態１によるオイル拡散防止システムの構成を説明するための説明図である。
【図２】同オイル拡散防止システムの構成を説明するための説明図である。
【図３】同オイル拡散防止システムの遠隔操作装置の構成を示すブロック図である。
【図４】同遠隔操作装置の構成を一部破断して示す正面図である。
【図５】同オイル拡散防止システムの推進装置の構成を示すブロック図である。
【図６】同オイル拡散防止システムのオイルフェンスの構成を示す側面図である。
【図７】同オイルフェンスの構成を示す平面図である。
【図８】図６のＡ―Ａ線に沿った断面図である。
【図９】図６のＢ―Ｂ線に沿った断面図である。
【図１０】図６のＣ―Ｃ線に沿った断面図である。
【図１１】同オイル拡散防止システムの動作を説明するための説明図である。
【図１２】実施の形態２によるオイル拡散防止システムの遠隔操作装置の構成を示すブロック図である。
【図１３】実施の形態１の変形例によるオイル拡散防止システムのオイルフェンスの構成を示す断面図である。
【発明を実施するための形態】
【００１７】
次に、この発明の実施の形態について、図面を用いて詳しく説明する。
【００１８】
（実施の形態１）
図１及び図２は、この発明の実施の形態１によるオイル拡散防止システムの構成を説明するための説明図、図３は、同オイル拡散防止システムの遠隔操作装置の構成を示すブロック図、図４は、同遠隔操作装置の構成を一部破断して示す正面図、図５は、同オイル拡散防止システムの推進装置の構成を示すブロック図、図６は、同オイル拡散防止システムのオイルフェンスの構成を示す側面図、図７は、同オイルフェンスの構成を示す平面図、図８は、図６のＡ―Ａ線に沿った断面図、図９は、図６のＢ―Ｂ線に沿った断面図、図１０は、図６のＣ―Ｃ線に沿った断面図、図１１は、同オイル拡散防止システムの動作を説明するための説明図である。
【００１９】
図１及び図２に示すように、オイル拡散防止システム１は、陸上で用いられる遠隔操作装置２と、それぞれ、推進装置６ａ，６ｂ，…が内蔵され、自走可能な比較的長いオイルフェンス３ａ，３ｂ，…と、比較的短いオイルフェンス４ａ，４ｂとを備えてなり、長さ方向に沿って互いに連結されたオイルフェンス３ａ，３ｂ，…、オイルフェンス４ａ，４ｂが、桟橋Ｓを囲むように閉曲線状に配置されることによって、桟橋Ｓに停泊した燃料輸送船等の船舶から油が海上に流出した場合の油の拡散を防止するために用いられる。
【００２０】
この実施の形態では、各オイルフェンス３ａ（３ｂ，３ｃ，…）は、略２０ｍの長さを有し、ファスナーやコネクタ等によって、互いに接続され、オイルフェンス４ａ（４ｂ）は、略１０ｍの長さを有し、オイルフェンス４ａ（４ｂ）は、アダプタ５ａ，５ｂ（５ｃ，５ｄ）を介してオイルフェンス３ａ，３ｔ（３ｊ，３ｋ）と連結され、連結されたオイルフェンス３ａ，３ｂ，…、オイルフェンス４ａ，４ｂは、略２４０ｍの全長を有している。ここで、各オイルフェンス３ａ（３ｂ，３ｃ，…）の先端部に推進装置６ａ（６ｂ，６ｃ，…）が配置されている。
【００２１】
遠隔操作装置２は、図３に示すように、制御部８と、操作部９と、送信部１１と、アンテナ１２と、電源部１３とを有している。制御部８は、例えば、ＣＰＵ等を含み、所定の制御プログラムに従って構成各部を制御する中央処理部と、ＲＯＭ、ＲＡＭ等の半導体メモリからなる内部記憶装置や、外部記憶装置からなり、制御プログラムや各種情報を記憶する記憶部とを有している。制御部８は、操作部９から受け取った操作情報に基づいて、操作制御信号を生成し、送信部１１を介して送信する。
【００２２】
操作部９は、図４に示すように、それぞれ、推進装置６ａ，６ｂ，…を遠隔操作するための個別操作部９ａ，９ｂ，…を有している。各個別操作部９ａ（９ｂ，９ｃ，…）は、ともに、例えば、トグル状のスイッチからなる推進スイッチ９ｖ、及び操舵スイッチ９ｗを有している。推進スイッチ９ｖは、中央位置で停止操作、前方（上方）に倒すと前進操作、後方（下方）に倒すと後退操作が可能とされ、倒す角度により速度の調整も可能とされている。操舵スイッチ９ｗは、中央位置で直進操作、左方に倒すと左方への操舵、右方に倒すと右方への操舵が可能とされ、倒す角度により、所定の角度範囲内での舵角の調整が可能とされている。この実施の形態では、例えば、遠隔操作装置２からの時分割による操作制御信号の送出によって、推進装置６ａ，６ｂ，…の同時操作が可能とされている。電源部１３は、バッテリ等を含んでいる。
【００２３】
推進装置６ａ（６ｂ，６ｃ，…）は、図１に示すように、各オイルフェンス３ａ（３ｂ，３ｃ，…）の先端部に配置され、図５に示すように、制御部１５と、内蔵のアンテナ１６と、受信部１７と、スクリュー駆動部１８と、舵駆動部１９と、スクリュー２１と、舵２２と、電源部２３とを有している。制御部１５は、例えば、ＣＰＵ等を含み、所定の制御プログラムに従って構成各部を制御する中央処理部と、ＲＯＭ、ＲＡＭ等の半導体メモリからなる内部記憶装置からなる記憶部とを有している。制御部１５は、受信部１７を介して受け取った操作制御信号に基づいて、スクリュー駆動制御信号及び舵駆動制御信号を生成して、それぞれ、スクリュー駆動部１８及び舵駆動部１９へ送り、スクリュー２１及び舵２２を駆動させる。
【００２４】
受信部１７は、アンテナ１６を介して遠隔操作装置２から送出されてきた操作制御信号を受信する。スクリュー駆動部１８は、スクリュー２１を回転駆動するモータと、モータを駆動するモータ駆動回路とを有している。舵駆動部１９は、舵２２を回転軸の周りに所定の角度範囲で回転駆動するサーボモータと、サーボモータを駆動するモータ駆動回路とを有している。制御部１５、アンテナ１６、受信部１７、スクリュー駆動部１８、舵駆動部１９、及び電源部２３は、対応するオイルフェンス３ａ（３ｂ，３ｃ，…）の内部に収納され、スクリュー２１、及び舵２２は、オイルフェンス３ａ（３ｂ，３ｃ，…）の所定の箇所に形成された後述する切欠き部３２に配置されている。電源部２３は、バッテリ等を含んでいる。
【００２５】
各オイルフェンス３ａ（３ｂ，３ｃ，…）は、例えば、ナイロン等の合成繊維製の長尺な布体に浮体が収納されて概略構成され、図６乃至図１０に示すように、例えば、発泡スチロール等からなる略円柱状の浮体２５，２５が収納された浮体収納部２６，２６，…と、浮体収納部２６，２６を結合する結合部２７と、浮体収納部２６，２６，…から下方に形成された垂下部２８と、鉛等からなる錘が収納された錘収納部２９と、端部に形成された接続部３１とが一体化されて構成され、その先端部には、スクリュー２１及び舵２２が配置される切欠き部３２と、水流路部３３とが形成されている。
【００２６】
最先端部の浮体収納部２６内には、制御部１５と、アンテナ１６と、受信部１７と、スクリュー駆動部１８と、舵駆動部１９と、電源部２３とが収納されているとともに、水流路部３３が形成されている。切欠き部３２は、最先端部の浮体収納部２６、結合部２７、及び垂下部２８の一部が切り欠かれて形成されている。水流路部３３には、前進時に流入口３３ａから流入した海水が通流して、切欠き部３２側へ排出される。
【００２７】
また、各オイルフェンス４ａ（４ｂ）は、各オイルフェンス３ａ（３ｂ，３ｃ，…）とその全長と接続部の構造が異なる以外は、略同一の構成を有している。互いに連結されたオイルフェンス３ａ，３ｂ，…、オイルフェンス４ａ，４ｂは、互いに連結された状態で、かつ、推進装置６ａ，６ｂ，…が配置された状態で、オイルフェンス巻取器（不図示）によって巻取可能とされている。
【００２８】
次に、図１及び図１１を参照して、上記構成のオイル拡散防止システムの動作について説明する。
【００２９】
まず、巻き取られた状態で又は折り畳まれた状態で、互いに連結された状態のオイルフェンス３ａ，３ｂ，…、オイルフェンス４ａ，４ｂは、図１１に示すように、原位置Ｍ０付近に配置され、オイルフェンス３ａから引き出され、海上に浮かべられる。次に、操作者Ｐが遠隔操作装置２の操作部９を操作して、オイルフェンス３ａが仮目標位置Ｍ１へ向けて移動するように、少なくとも推進装置６ａを動作させる。仮目標位置Ｍ１は、例えば、オイルフェンス３ａの先端部の推進装置６ａの配置目標位置である。以下、後述する仮目標位置Ｍ２等についても同様である。ここで、推進装置６ｂ，６ｃも動作させるようにしても良い。これにより、オイルフェンス３ａ，３ｂ，３ｃが、原位置Ｍ０と仮目標位置Ｍ１との間に配置される。
【００３０】
次に、少なくともオイルフェンス３ｇまで引き出しながら、少なくとも推進装置６ｂを動作させて、少なくともオイルフェンス３ａ，３ｂ，３ｃ，３ｄを仮目標位置Ｍ１近傍に集結させるように移動させる。ここで、推進装置６ａ，６ｃ〜６ｇも動作させるようにしても良い。次に、オイルフェンス３ａが仮目標位置Ｍ２へ向けて移動するように、少なくとも推進装置６ａを動作させる。ここで、推進装置６ｂ〜６ｇも同時に又は時間をおいて動作させるようにしても良い。これにより、オイルフェンス３ａ，３ｂ，３ｃ，３ｄが、仮目標位置Ｍ１と仮目標位置Ｍ２との間に、オイルフェンス３ｅ，３ｆ，３ｇが、原位置Ｍ０と仮目標位置Ｍ１との間に配置される。
【００３１】
以下、同様にして、オイルフェンス３ａを仮目標位置Ｍ３，Ｍ４，Ｍ５、原位置Ｍ０へ向けて移動させるように、推進装置６ａ，６ｂ，…を動作させる。次に、推進装置６ａ，６ｂ，…が、目標位置Ｑａ，Ｑｂ，…に配置されるように、推進装置６ａ，６ｂ，…を動作させて、オイルフェンス３ａ，３ｂ，…、オイルフェンス４ａ，４ｂの位置を調整する。最後に、図１に示すように、オイルフェンス３ａとオイルフェンス４ａとを、アダプタ５ａを介して連結させる。このとき、連結されたオイルフェンス３ａ，３ｂ，…、オイルフェンス４ａ，４ｂが、桟橋Ｓを囲むように閉曲線状に配置され、桟橋Ｓに停泊した燃料輸送船等の船舶から油が海上に流出した場合に、油の拡散が防止される。
【００３２】
こうして、この実施の形態の構成によれば、遠隔操作装置２によって、複数の推進装置６ａ，６ｂ，…を遠隔操作して、オイルフェンス３ａ，３ｂ，…、オイルフェンス４ａ，４ｂを、桟橋Ｓを囲むように閉曲線状に配置するので、例えば、小型船舶によって、オイルフェンス３ａ，３ｂ，…、オイルフェンス４ａ，４ｂを曳航する必要がない。このため、小型船舶を所有しない場合には、チャーターする必要がないので、コストを低減することができる。また、小型船舶等を用いないので、天候に左右されることなく、例えば、強風や波浪等の悪天候下でもオイルフェンスを展張して、油流出時には、その拡散を常時確実に防止することができる。
【００３３】
また、複数の推進装置６ａ（６ｂ，６ｃ，…）を、オイルフェンス３ａ（３ｂ，３ｃ，…）の先端部に配置して、個別に操作可能としたので、長さ方向に沿って互いに連結されたオイルフェンス３ａ，３ｂ，…、オイルフェンス４ａ，４ｂを、桟橋Ｓを囲む所望の形状の閉曲線状に配置し、この閉曲線に囲まれた閉塞領域を所望の形状、寸法及び位置に容易にかつ迅速に最適化することができる。また、オイルフェンス３ａ，３ｂ，…、オイルフェンス４ａ，４ｂの配置形状や配置位置の細部の調整も、天候等の展張時の状況の変化に応じて臨機応変に行うことができる。また、例えば、スクリュー２１及び舵２２を切欠き部３２に配置したので、巻取り器による巻取り時に邪魔になることもない。
【００３４】
（実施の形態２）
図１２は、実施の形態２によるオイル拡散防止システムの遠隔操作装置の構成を示すブロック図である。この例の構成が上述した実施の形態１の構成と大きく異なるところは、遠隔操作装置の操作部に推進装置を選択する選択スイッチを配置した点である。
【００３５】
この実施の形態の遠隔操作装置２Ａの操作部９Ａは、図１２に示すように、操作対象の推進装置６ａ（６ｂ，６ｃ，…）を選択する選択スイッチ３７と、ボタン式の推進スイッチ３８と、トグル状の操舵スイッチ３９とを有している。推進スイッチ３８は、１回の押圧で前進操作、前進状態での２回の押圧で停止操作が可能とされている。また、操舵スイッチ３９は、中央位置で直進操作、左方に倒すと左方への操舵、右方に倒すと右方への操舵が可能とされ、倒す角度により、所定の角度範囲内での舵角の調整が可能とされている。
【００３６】
この実施の形態の構成によれば、上述した実施の形態１と略同様の効果を得ることができる。加えて、操作部の構成を簡略化し、コストを低減することができる。
【００３７】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態では、操作者が、遠隔操作装置の操作部を操作することによって、各推進装置を操作する場合について述べたが、予め、オイルフェンスによって囲む閉塞領域の位置、寸法、及び形状を設定し、設定情報に基づいて、制御部が、各推進装置の操作タイミングや操作量を演算して、操作制御信号を送信するようにしても良い。この場合、上記設定情報のほかに、風速や風向、波高等の気候条件を参照して操作制御信号を送信するようにしても良い。また、オイルフェンスを同一構成の二群に分割して、対称な動きとなるように同時に操作し、再遠箇所で磁力等により連結するようにしても良い。この際、一方の群を操作部によって操作し、他方の群は、一方の群と対称な動きとなるように、自動的に操作制御信号を生成して送信するようにしても良い。
【００３８】
また、オイルフェンスは、巻取りとしても良いし、例えば、葛折りに折り畳むようにしても良い。また、図１３に示すように、オイルフェンス４１ａ（４１ｂ，４１ｃ，…）の先端部の浮体収納部２６Ａに、正面側から見て左右対称に１対の流入口３３ｐ，３３ｑを設けても良い。また、水流路部も一対としても良いし、流入口の下流側で合流させても良い。また、水流路部３３は廃しても良い。また、既存のオイルフェンスを改造して、推進装置としても良いし、専用の推進装置を作成しても良い。また、一度に複数の推進装置を動作させても良いし、単数ずつ動作させても良い。また、推進装置の電源として、バッテリに限らず、ケーブルを介して、推進装置に電力を供給するようにしても良い。また、電力に限らず内燃機関によって、推進させても良い。また、必ずしも、同時操作可能としなくても、個別に１台毎に操作するようにしても良い。
【００３９】
また、推進装置は、オイルフェンス３ａ，３ｂ，…毎に設けなくても良いし、同一のオイルフェンス３ａ（３ｂ，３ｃ，…）内に、複数設けても良いし、オイルフェンス４ａ，４ｂにも設けても良いし、配置位置も先端位置に限らず、中央部でも後端位置であっても良い。また、内蔵とせずに、側部や前方に取り付けても良いし、オイルフェンスとは独立に配置しても良い。また、遠隔操作装置を、複数設けても良い。また、遠隔操作装置からの操作制御信号の送出は、無線に限らず、有線によっても良い。また、図１に示すように、オイルフェンスの目標配置形状に沿って、オイルフェンス３ａ（３ｂ，３ｃ，…）の長さ分ずつ変位させるようにしても良い。また、オイルフェンスの配置形状を、図１１に示すような略六角形状の配置形状として、最終的な調整を省略しても良い。
【産業上の利用可能性】
【００４０】
油のほか、一般に水上流出物の拡散の防止のために適用できる。また、海上のほか、湖上や河川上等でも適用できる。
【符号の説明】
【００４１】
１  オイル拡散防止システム（水上流出物拡散防止システム）
２  遠隔操作装置
３ａ，３ｂ，…、４ａ，４ｂ  オイルフェンス（拡散防止フェンスの一部、単位フェンス）
６ａ，６ｂ，…  推進装置
９  操作部（操作手段）
２１  スクリュー
２２  舵
Ｓ  桟橋
【図１】
2010163820.tif 000003
【図２】
2010163820.tif 000004
【図３】
2010163820.tif 000005
【図４】
2010163820.tif 000006
【図５】
2010163820.tif 000007
【図６】
2010163820.tif 000008
【図７】
2010163820.tif 000009
【図８】
2010163820.tif 000010
【図９】
2010163820.tif 000011
【図１０】
2010163820.tif 000012
【図１１】
2010163820.tif 000013
【図１２】
2010163820.tif 000014
【図１３】
2010163820.tif 000015